(57)【要約】【課題】耐磁性能と防水性を有する薄型の時計を提供すること。【解決手段】胴２０は、ムーブメント７を内蔵する。裏蓋１００は、胴２０に立ち上がり部１２０ａ、１４０ａで固定される。また裏蓋１００は、軟質磁性材料１４０と非磁性材料１２０との二層クラッド材を用いており、軟質磁性材料１４０が裏蓋１００のムーブメント７側になるように配置する。【選択図】　　図１
2004085434.tif 000002
【特許請求の範囲】
【請求項１】
ムーブメントを内蔵する胴と、
前記胴に固定され、軟質磁性材料と非磁性材料との二層クラッド材を用いた裏蓋を有し、
前記軟質磁性材料部が前記ムーブメント側になるように配置した時計。
【請求項２】
ムーブメントを内蔵する胴と、
前記胴に固定され、第１の非磁性材料と第２の非磁性材料間に軟質磁性材料を設けた三層クラッド材を用いた裏蓋を有する時計。
【請求項３】
前記軟質磁性材料が、純鉄、珪素鋼板、パーマロイ、フェライト系ステンレス鋼より選ばれたいずれか一種類を用いた請求項１又は２記載の時計。
【請求項４】
前記非磁性材料が、オーステナイト系ステンレス鋼またはチタン材である請求項１又は２記載の時計。
【請求項５】
前記軟質磁性材料厚みが０．２ｍｍ以上かつ０．７ｍｍ以内である請求項１乃至３のいずれかに記載の時計。
【請求項６】
前記裏蓋は、前記胴と固定する立ち上がり部を有し、前記軟質磁性材料は前記立ち上がり部を含む内側に配置した請求項１、２、３及び５のいずれかに記載の時計。
【発明の詳細な説明】
【０００１】
【発明の属する技術分野】
本発明は、電子機器に関する。
【０００２】
【従来の技術】
携帯時計の耐磁性能は、ＪＩＳ　Ｂ７０２４「耐磁携帯時計」により規定されている。携帯時計が誤って磁気発生製品に置かれた場合に、時計の時刻が狂うことがないようにを想定して規定されている。
【０００３】
従来の携帯時計を図５に示す。中央部に貫通穴を有する胴２０の上部に、前記貫通穴よりも小さい内径を有する飾り縁１０をパッキン３０を介して押圧して嵌め込む。飾り縁１０に上部にパッキン４０を介して、ガラス６を嵌める。この空間に文字板７が付いたムーブメント７を挿入する。文字板７の上面の一部が、飾り縁１０の段差部の接触し、また、裏蓋を閉めると中枠（図示なし）がムーブメント７を押し上げることで、ムーブメント７が固定される。
【０００４】
裏蓋１は、耐磁性能を満足するように軟質磁性材料を裏蓋１のムーブメント側に粘着剤３などで固定する。このとき、磁力に弱い方向を蔽う必要がある（特願平５−２９５２４７及び特願平６−１０６９０１を参照）。
【０００５】
このようにすることで、時計体（ムーブメント）の磁力に弱い部分が軟質磁性材料で蔽われるため、外部磁気から遮断される。なお、更に耐磁性能を向上させるには、文字板７の裏面側にも別部品の軟質磁性材料を貼り付けている（特願平１０−３２９４６２参照）。
【０００６】
【発明が解決しようとする課題】
しかし、従来の携帯時計は、耐磁性能を満足させるために、裏蓋に軟質磁性材料を貼り付けると、ＪＩＳ　Ｂ７０２１「一般用防水携帯時計−種類および性能」あるいは、ＪＩＳ　Ｂ７０２４「潜水用防水携帯時計−種類および性能」による試験に耐えられない。そのため、耐水性能を保証するため、水中加圧試験に耐え時計本体（ムーブメント）を破損させない材料強度を確保する必要があるので、加圧防水試験に耐える時計外装用裏蓋厚みと、「耐磁携帯時計」に必要な軟質磁性材料厚み、さらに貼り付けるための粘着剤等の保持部品厚みが必要になる。
【０００７】
また、軟質磁性材料を直接裏蓋材料に使用しようとすると、軟質磁性材料の多くは錆やすい、研摩性などの加工性が悪い等の理由により携帯時計の外装材として適さない。
【０００８】
以上述べたように、従来の軟質磁性材料を貼る方法では、「耐磁携帯時計」の総厚が厚くなり、携帯性、装飾性を追求する場合の最大の課題となっている。
【０００９】
【課題を解決するための手段】
本発明の時計は、ムーブメントを内蔵する胴と、前記胴に固定され、軟質磁性材料と非磁性材料との二層クラッド材を用いた裏蓋を有し、前記軟質磁性材料部が前記ムーブメント側になるように配置している。
【００１０】
本発明の時計は、ムーブメントを内蔵する胴と、前記胴に固定され、第１の非磁性材料と第２の非磁性材料間に軟質磁性材料を設けた三層クラッド材を用いた裏蓋を有する。
【００１１】
本発明の時計は、前記軟質磁性材料が、純鉄、珪素鋼板、パーマロイ、フェライト系ステンレス鋼より選ばれたいずれか一種類を用いるのが好ましい。
【００１２】
本発明の時計は、前記非磁性材料が、オーステナイト系ステンレス鋼またはチタン材であるのが好ましい。
【００１３】
本発明の時計は、前記軟質磁性材料厚みが０．２ｍｍ以上かつ０．７ｍｍ以内であるのが好ましい。
【００１４】
そして、本発明の時計は、前記裏蓋が前記胴と固定する立ち上がり部を有し、前記軟質磁性材料は前記立ち上がり部を含む内側に配置している。立ち上がり部の外側は非磁性材料で、その内側を軟質磁性材料にすることにより、軟質磁性材料を防錆させることなく、広い範囲に渡って軟質磁性材料で覆うことができる。
【００１５】
【発明の実施の態様】
＜実施例１＞
前記課題を解決するため、本発明における実施の態様を図面に基づいて説明する。図１は、２層クラッド材を裏ぶたに使用した場合の時計の断面図を示す。
裏蓋１００は、軟質磁性材料１４０である純鉄、珪素鋼板、パーマロイ、フェライト系ステンレス鋼の一種類と、非磁性材料１２０であるチタン材、オーステナイト系ステンレス鋼の一種類とのクラッド材を用いて加工する。裏蓋１００は、腕と接触する外側を非磁性材料１２０とし、ムーブメント７側を軟質磁性材料１４０とする。軟質磁性材料１４０と非磁性材料１２０の境界は、裏蓋１００が胴２０に食いつくための立ち上がり部１２０ａ、１４０ａとする。裏蓋１００は、胴２０と非磁性材料１２０とを食いつかせる。このようにすることで、軟質磁性材料１４０が非磁性材料１２０を覆うことができる。その際、耐磁裏蓋１００の材料厚みは、水中加圧試験に耐えるＪＩＳ　Ｂ７０２１「一般用防水携帯時計−種類および性能」あるいはＪＩＳ　Ｂ７０２４「潜水用防水携帯時計−種類および性能」を満足するための必要最低厚みとする。このようにすることで、軟質磁性材料１２０を粘着材３で貼り付ける必要がなく、裏蓋１００を薄くすることが可能となる。なお、その他の部品は、従来例と同じ構造をしており、同じ番号を付しており説明を省略する。
【００１６】
＜実施例２＞
図２は、３層のクラッド材を裏蓋に使用した時計の断面図である。裏蓋２００の腕側に非磁性材料２２０、ムーブメント側にも非磁性材料２３０を配置し、非磁性材料２２０、２３０の間に軟質磁性材料２４０で挟み込んである。腕側の非磁性材料２２０とムーブメント側の非磁性材料２３０は、同じ材料でも良いし、異なる材料でも構わない。
【００１７】
軟質磁性材料２４０を中央に配置した三層クラッド材を採用すれば、内側もチタン材やオーステナイト系ステンレス鋼で蔽われるため防食を施す必要も無くなり、より高透磁率で残留磁化の少ない純鉄、珪素鋼板、パーマロイ、フェライト系ステンレス鋼を採用し、より薄くすることも可能である。
【００１８】
＜実施例３＞
図３は、実施例１で使用した裏蓋に１００に振動板３２０を貼付した裏蓋３００を使用した時計の断面図を示す。振動板３２０は、軟質磁性材料１４０の表面に接着剤３１０を塗布することで、接着させて固定する。振動板３２０は、ムーブメントからの信号により振動し、アラーム等の音を発する。他の部分は、実施例１と同様であるので、説明を省略する。
【００１９】
次に、実際に実験を行なった条件と結果を図４に示す。ＪＩＳ　Ｂ７０２４　「潜水用防水携帯時計−種類および性能」の潜水時計一種である水深等級１００ｍに対応し、ＪＩＳ　Ｂ７０２４「耐磁携帯時計」の耐磁性能二種に対応する携帯時計用耐磁裏蓋を製作した。水中加圧試験に必要な必要最低厚み材料厚みのうち「耐磁携帯時計」の耐磁性能確保に必要な軟質磁性材料１４０の厚みが０．２ｍｍ、０．３ｍｍ、０．４ｍｍになるように配置したクラッド材を使用した。この方法によれば、加圧防水試験に耐える最低材料厚みと磁携帯時計に必要な軟質磁性材料１４０加圧試験に必要な材料強度に寄与することができる。また、軟質磁性材料１４０を粘着材３で貼り付ける必要がなく、裏蓋１００を薄くすることが可能となる。
【００２０】
また、クラッド材を用いれば切削性、研磨性、耐食性が要求される部分や汗、垢が溜まり易い部分、耐水性保持部分には、非磁性材料のチタン材またはオーステナイト系ステンレス鋼を配置すれば、軟質磁性材の欠点である切削性が悪い、研磨性が悪い、錆び易い等の課題も解決される。
【００２１】
【発明の効果】
本発明の時計は、以上説明したように加圧防水試験に必要な材料強度耐と、耐磁携帯時計に必要な軟質磁性材料を兼ねるため、従来方式のように軟質磁性材料を貼り付ける必要がなく、裏蓋厚みを薄くすることが可能で、携帯性、装飾性に優れた携帯時計用耐磁裏蓋構造の提供が可能となる。
【図面の簡単な説明】
【図１】本発明に係る二層クラッド材を用いた携帯時計の断面図である。
【図２】本発明に係る三層クラッド材を用いた携帯時計断面図である。
【図３】本発明に係る二層クラッド材を用いた携帯時計でアラーム用振動材を貼った場合の断面図である。
【図４】本発明の時計と従来の時計における耐磁性能を比較した図である。
【図５】従来の携帯時計の断面図である。
【符号の説明】
１　　耐磁裏蓋
２　　非磁性材料
３　　粘着剤
４　　軟質磁性材料
５　　文字板
６　　ガラス
７　　時計本体（ムーブメント）
１０　飾り縁
２０　胴
３０、４０　パッキン
１００、２００、３００　裏蓋
１２０、２２０、２３０　非磁性材料
１２０ａ、２２０ａ　非磁性材料の立ちあがり部
１４０、２４０　軟質磁性材料
１４０ａ、２４０ａ　軟質磁性材料の立ちあがり部
３１０　　接着剤
３２０　　振動板
【図１】
2004085434.tif 000003
【図２】
2004085434.tif 000004
【図３】
2004085434.tif 000005
【図４】
2004085434.tif 000006
【図５】
2004085434.tif 000007